【手続補正書】
【提出日】平成17年7月11日(2005.7.11)
【手続補正１】
【補正対象書類名】明細書
【補正対象項目名】特許請求の範囲
【補正方法】変更
【補正の内容】
【特許請求の範囲】
【請求項１】
平坦な印刷材料を処理する機械用の歯車列であって、
前記歯車列を駆動する駆動ベルトおよびピニオンと、
前記歯車列を分離し、かつ閉じる継手と、
前記歯車列の閉じた状態で互いに係合し、前記歯車列の分離した状態で係合していない複数の歯システムを有する複数の回転部材と、
を有し、
多数の前記回転部材が複数の対になるように組み合わされ、前記回転部材の複数対の１つの対の前記歯システムは回転部材の前記各他の対の歯システムとは異なった歯形ピッチを有しており、
前記回転部材の前記歯システムはＨｉｒｔｈ型の歯システムである
平坦な被印刷材料を処理する機械用の歯車列。
【請求項２】
平坦な印刷材料を処理する機械用の歯車列であって、
前記歯車列を分離し、かつ閉じる継手と、
前記歯車列の閉じた状態で互いに係合し、前記歯車列の分離した状態で係合していない歯システムを有する複数の回転部材と、
多数の前記回転部材は複数の対になるように組み合わされ、前記回転部材の複数対の１つの対の前記歯システムは回転部材の前記各他の対の歯システムとは異なった歯形ピッチを有しており、
前記回転部材の複数の対の第１と第２の対は、該両対に共通の、前記回転部材の１つを構成し、回転部材の前記第１および第２の対の前記歯システムはＨｉｒｔｈ型の歯システムとして構成されている
平坦な被印刷材料を処理する機械用の歯車列。
【請求項３】
平坦な印刷材料を処理する機械用の歯車列であって、
前記歯車列を分離し、かつ閉じる継手と、
前記歯車列の閉じた状態で互いに係合し、前記歯車列の分離した状態で係合していない歯システムを有する複数の回転部材と、
を有し、
多数の前記回転部材は複数の対になるように組み合わされ、前記回転部材の前記複数対の１つの対の前記歯システムは回転部材の前記各他の対の歯システムとは異なった歯形ピッチを有しており、
前記回転部材の複数の対の第１と第２の対は、該両対に共通の、前記回転部材の１つを構成し、回転部材の前記第１および第２の対に共通の前記回転部材はＨｉｒｔｈ型の歯システムと平歯車システムを有し、前記回転部材の然るべく歯が付いた１つが前記共通の回転部材に割当てられている
平坦な被印刷材料を処理する機械用の歯車列。
【請求項４】
前記継手の前記回転部材の１つが前記歯車列の歯車を構成して いる、請求項１に記載の歯車列。
【請求項５】
平坦な印刷材料を処理する機械用の歯車列であって、
前記歯車列を分離し、かつ閉じる継手と、
前記歯車列の閉じた状態で互いに係合し、前記歯車列の分離した状態で係合していない複数の歯システムを有する回転部材と
を有し、
多数の前記回転部材は複数の対になるように組み合わされ、前記回転部材の複数対の１つの対の前記歯システムは回転部材の前記各他の対の歯システムとは異なった歯形ピッチを有しており、
前記回転部材の複数の対の第１と第２の対は、該両対に共通の、前記回転部材の１つを構成し、回転部材の前記第１および第２の対に共通の前記回転部材は、歯システムを構成するジャケット表面と、前記歯車システムと噛み合うセットピニオンを有し、前記共通の回転部材は前記歯車列が切り離されたとき、前記セットピニオンによって回転可能になる
平坦な被印刷材料を処理する機械用の歯車列。
【請求項６】
平坦な印刷材料を処理する機械用の歯車列であってあって、
シートを案内する回転把持システムと、
継手と、
前記継手によって切り離され、かつ閉じられる歯車列であって、前記歯車列の閉じた状態で互いに係合し、前記歯車列の分離した状態で係合していない歯システムを有する複数の回転部材を含む歯車列と、
多数の前記回転部材は複数の対になるように組み合わされ、前記回転部材の複数対の１つの対の前記歯システムは回転部材の前記各他の対の歯システムとは異なった歯形ピッチを有しており、
前記回転部材の前記歯車システムはＨｉｒｔｈ型の歯システムである
平坦な被印刷材料を処理する機械用の歯車列。
【請求項７】
シート処理輪転印刷機械あって、
版胴とブランケット胴と圧胴を含む回転印刷胴と、
継手と、
前記継手によって切り離され、かつ閉じられる歯車列であって、前記歯車列の閉じた状態で互いに係合し、前記歯車列の分離した状態で係合していない歯システムを有する複数の回転部材を含む歯車列と、
多数の前記回転部材は複数の対になるように組み合わされ、前記回転部材の複数対の１つの対の前記歯システムは回転部材の前記各他の対の歯システムとは異なった歯形ピッチを有しており、
前記回転部材の前記歯車システムはＨｉｒｔｈ型の歯システムである
シート処理輪転印刷機。
【手続補正２】
【補正対象書類名】明細書
【補正対象項目名】０００６
【補正方法】変更
【補正の内容】
【０００６】
本発明によって、この前述の角度分解能は、公知の継手の何倍も細かくでき、特に、継手を構成する回転体のかみ合い部の剛性を上げるコストがかからない。本発明による歯車列の構成では、２つの歯車列部分の相対的な位相位置を変えるための最小のステップ幅をさらに細かく分けることは、つまり１つの回転体対のかみ合い部のピッチによって下限を制限するのではなく、大きい負荷を与えることが可能なかみ合い部を備えることができるように第２の回転体対においてそのかみ合い部にピッチ差を設けることによる。さらに、Ｈｉｒｔｈ型セレーションの形態のかみ合い部の構造では、回転体とゼロバックラッシュの自動の心合わせが行われる利点がある。
【手続補正３】
【補正対象書類名】明細書
【補正対象項目名】００２２
【補正方法】変更
【補正の内容】
【００２２】
これらの回転体12.1,12.2, 12.3の、互いに向きあう正面には、ここではＨｉｒｔｈ型セレーションで形成されたかみ合い部12.1',12.2',12.2'',12.3'が備えられている。
【手続補正４】
【補正対象書類名】明細書
【補正対象項目名】００２６
【補正方法】変更
【補正の内容】
【００２６】
回転体12.1,12.2から構成される回転体の対のかみ合い部12.1',12.2'は、回転体12. 2,12.3から構成される回転体の対のかみ合い部12.2'',12.3'のピッチとは異なるピッチを有している。この場合、かみ合い部12.1',12.2',12.2'',12.3'は、この構成では全てＨｉｒｔｈ型セレーションに構成されている。
【手続補正５】
【補正対象書類名】明細書
【補正対象項目名】００３１
【補正方法】変更
【補正の内容】
【００３１】
これとは反対に、図3に示した相応する継手120の構成は、機能上２つの回転体の対にまとめられる回転体120.1,120.2,120.3を含んでおり、この場合、これらの回転体120.1,120.2,120.3は、回転体120.1,120.2から構成される第１の回転体対のかみ合い部120.1',120.2'が、回転体120.2,120.3から構成される第２の回転体対のかみ合い部とは異なる歯形ピッチを備えるように、ここでは一部のみを示した、すなわちこの限りでは歯車4',6'と端の回転体120.1によって示される歯車7'だけを示した歯車列が接続された状態で、相互にかみ合うように形成されたかみ合い部120.1',120.2', 120.2'',120.3'を備えている。この限りでは、継手120は、前述の継手12と作用原理が同じであり、両方の回転体対には同じく１つの回転体、すなわち回転体120.2が共通している。しかし、この限りでは、回転体120.2と回転体120.3は、歯車列が接続された状態で、相互にかみ合せるために備えられたかみ合い部の形状がＨｉｒｔｈ型セレーションだけでない点で、図2による構成とは異なる。然るべきＨｉｒｔｈ型セレーションのかみ合わせ部は、第１の回転体対を相互にかみ合わせるためのかみ合い部120.1',120.2'の形態で備えられているが、他方、歯車列が接続された状態で、相互にかみ合せるための第２の回転体対は、平歯車かみ合い部120.2', 120.3'の形態のかみ合い部を備えている。